(57)【要約】【課題】操作者の利便性を向上させることに貢献すること。【解決手段】撮像装置は、被写体を撮像し、被写体画像を生成する撮像部と、撮像部と同一の方向を向くように配置される第１の表示部と、撮像部と異なる方向を向くように配置される第２の表示部と、被写体画像から人判定特徴量を抽出する人判定特徴量抽出部と、人判定特徴量に基づいて、被写体距離情報を推定する被写体距離情報推定部と、人判定特徴量、及び被写体距離情報に基づいて、第１の表示部、第２の表示部の少なくともいずれかの表示部から、被写体画像を表示する表示部を選択する表示制御部と、を備える。【選択図】図１
2014220555.tif 000002
【特許請求の範囲】
【請求項１】
被写体を撮像し、被写体画像を生成する撮像部と、
前記撮像部と同一の方向を向くように配置される第１の表示部と、
前記撮像部と異なる方向を向くように配置される第２の表示部と、
前記被写体画像から人判定特徴量を抽出する人判定特徴量抽出部と、
前記人判定特徴量に基づいて、被写体距離情報を推定する被写体距離情報推定部と、
前記人判定特徴量、及び前記被写体距離情報に基づいて、前記第１の表示部、前記第２の表示部の少なくともいずれかの表示部から、前記被写体画像を表示する表示部を選択する表示制御部と、
を備えることを特徴とする撮像装置。
【請求項２】
前記表示制御部は、前記人判定特徴量、及び前記被写体距離情報に基づいて、前記撮像部と、操作者と、が相対するか否かを判断し、
前記表示制御部は、
前記撮像部と、前記操作者と、が相対すると判断する場合、前記第１の表示部に前記被写体画像を表示し、
前記撮像部と、前記操作者と、が相対しないと判断する場合、前記第２の表示部に前記被写体画像を表示する請求項１に記載の撮像装置。
【請求項３】
前記表示制御部は、
前記撮像部と、前記操作者と、が相対すると判断する場合、前記第１の表示部を点灯し、
前記撮像部と、前記操作者と、が相対しないと判断する場合、前記第１の表示部を消灯する請求項２に記載の撮像装置。
【請求項４】
人判定特徴量抽出部は、前記人判定特徴量に基づいて、前記被写体画像内の人特徴領域を抽出し、
前記被写体距離情報推定部は、前記人特徴領域の面積に基づいて、前記被写体距離情報を推定し、
前記表示制御部は、
前記人特徴領域の面積が所定の閾値を超える場合、前記撮像部と、前記操作者と、が相対すると判断し、
前記人特徴領域の面積が所定の閾値以下である場合、前記撮像部と、前記操作者と、が相対しないと判断する請求項２又は３に記載の撮像装置。
【請求項５】
前記表示制御部は、
前記人特徴領域の内部に、所定の基準領域が所定の割合を超えて含まれる場合、前記撮像部と、前記操作者と、が相対すると判断し、
前記人特徴領域の内部に、所定の基準領域が所定の割合を超えて含まれない場合、前記撮像部と、前記操作者と、が相対しないと判断する請求項４に記載の撮像装置。
【請求項６】
前記被写体画像に基づいて、焦点距離を決定する焦点距離決定部を備え、
前記表示制御部は、
前記人判定特徴量抽出部が所定の前記人判定特徴量を抽出した際に、前記焦点距離が所定の閾値以下の場合、前記撮像部と、前記操作者と、が相対すると判断し、
前記焦点距離が所定の閾値を超える場合、前記撮像部と、前記操作者と、が相対しないと判断する請求項２乃至５のいずれか一に記載の撮像装置。
【請求項７】
前記表示制御部は、
前記撮像部と、前記操作者と、が相対すると判断する場合、前記第１の表示部に前記被写体画像の鏡像を表示し、
前記撮像部と、前記操作者と、が相対しないと判断する場合、前記第２の表示部に前記被写体画像の正像を表示する請求項２乃至６のいずれか一に記載の撮像装置。
【請求項８】
回転軸を含むヒンジ部と、
前記撮像部、及び前記第１の表示部を含む第１の筐体と、
前記第２の表示部を含む第２の筐体と、
を備え、
前記第１の筐体と、前記第２の筐体と、は前記ヒンジ部を介して接続し、
前記第２の表示部は、前記ヒンジ部が前記回転軸周りに回転した場合、前記撮像部と同一の方向を向くように配置可能であり、
前記第２の表示部が前記撮像部と同一の方向を向くように配置されている際に、前記表示制御部は、前記撮像部と、前記操作者と、が相対すると判断する場合、少なくとも一の表示部に、前記被写体画像の鏡像、又は正像を表示する請求項２乃至７のいずれか一に記載の撮像装置。
【請求項９】
被写体を撮像し、被写体画像を生成する撮像部と、
第１の表示部と、
第２の表示部と、を備える撮像装置の制御方法であって、
前記被写体画像から人判定特徴量を抽出する人判定特徴量抽出工程と、
前記人判定特徴量に基づいて、被写体距離情報を推定する被写体距離情報推定工程と、
前記人判定特徴量、及び前記被写体距離情報に基づいて、前記第１の表示部、前記第２の表示部の少なくともいずれかの表示部から、前記被写体画像を表示する表示部を選択する表示制御工程と、
を含むことを特徴とする撮像装置の制御方法。
【請求項１０】
被写体を撮像し、被写体画像を生成する撮像部と、
第１の表示部と、
第２の表示部と、を備える撮像装置を制御するコンピュータに実行させるプログラムであって、
前記被写体画像から人判定特徴量を抽出する人判定特徴量抽出処理と、
前記人判定特徴量に基づいて、被写体距離情報を推定する被写体距離情報推定処理と、
前記人判定特徴量、及び前記被写体距離情報に基づいて、前記第１の表示部、前記第２の表示部の少なくともいずれかの表示部から、前記被写体画像を表示する表示部を選択する表示制御処理と、
を実行するプログラム。
【発明の詳細な説明】
【技術分野】
【０００１】
本発明は、撮像装置、その制御方法及びプログラムに関し、特に、２以上の表示部を備える撮像装置、その制御方法及びプログラムに関する。
【背景技術】
【０００２】
近年、撮像部を備えるスマートフォン、携帯電話、タブレットＰＣ等が普及している。撮像部を備えるスマートフォン等においては、撮像部と相対する面に表示部が配置され、表示部に撮影画像を表示する場合が多い。その場合、操作者は、表示部に表示される撮影画像を確認し、撮影を行う。
【０００３】
しかし、操作者は、操作者自身を撮影する場合がある。そこで、撮像部が配置されている面と、撮像部と相対する面と、の両面に表示部を配置した撮像装置が提案されている（特許文献１、２）。
【０００４】
特許文献１、２に開示された撮像装置においては、撮像部が回動可能である。そして、特許文献１に開示された撮像装置は、撮像部の向きを検出し、撮影画像を表示する表示部を選択する。また、特許文献２に開示された撮像装置は、撮像部の向きを検出し、撮影画像の正像を表示部に表示するか、撮影画像の鏡像を表示部に表示するかを選択する。
【先行技術文献】
【特許文献】
【０００５】
【特許文献１】特開２０１０−００４５４７号公報
【特許文献２】特開２００４−１８７１８２号公報
【発明の概要】
【発明が解決しようとする課題】
【０００６】
なお、上記先行技術文献の各開示を、本書に引用をもって繰り込むものとする。以下の分析は、本発明の観点からなされたものである。
【０００７】
特許文献１、２に開示された撮像装置は、撮像部の向きを検出し、表示部、又は撮影画像の表示態様を決定する。
【０００８】
そのため、特許文献１、２に開示された撮像装置においては、操作者が、被写体の方向に応じて、撮像部を手で回転させ、撮像装置に被写体の方向を教示する必要がある。その際、操作者は、撮像部を手で回転させる操作を煩雑に感じる恐れがある。
【０００９】
そこで、本発明は、操作者の利便性を向上させることに貢献する撮像装置、その制御方法及びプログラムを提供することを目的とする。
【課題を解決するための手段】
【００１０】
本発明の第１の視点によれば、被写体を撮像し、被写体画像を生成する撮像部と、前記撮像部と同一の方向を向くように配置される第１の表示部と、前記撮像部と異なる方向を向くように配置される第２の表示部と、前記被写体画像から人判定特徴量を抽出する人判定特徴量抽出部と、前記人判定特徴量に基づいて、被写体距離情報を推定する被写体距離情報推定部と、前記人判定特徴量、及び前記被写体距離情報に基づいて、前記第１の表示部、前記第２の表示部の少なくともいずれかの表示部から、前記被写体画像を表示する表示部を選択する表示制御部と、を備える撮像装置が提供される。
【００１１】
本発明の第２の視点によれば、被写体を撮像し、被写体画像を生成する撮像部と、第１の表示部と、第２の表示部と、を備える撮像装置の制御方法であって、前記被写体画像から人判定特徴量を抽出する人判定特徴量抽出工程と、前記人判定特徴量に基づいて、被写体距離情報を推定する被写体距離情報推定工程と、前記人判定特徴量、及び前記被写体距離情報に基づいて、前記第１の表示部、前記第２の表示部の少なくともいずれかの表示部から、前記被写体画像を表示する表示部を選択する表示制御工程と、を含む撮像装置の制御方法が提供される。
なお、本方法は、２以上の表示部を備える撮像装置という、特定の機械に結び付けられている。
【００１２】
本発明の第３の視点によれば、被写体を撮像し、被写体画像を生成する撮像部と、第１の表示部と、第２の表示部と、を備える撮像装置を制御するコンピュータに実行させるプログラムであって、前記被写体画像から人判定特徴量を抽出する人判定特徴量抽出処理と、前記人判定特徴量に基づいて、被写体距離情報を推定する被写体距離情報推定処理と、前記人判定特徴量、及び前記被写体距離情報に基づいて、前記第１の表示部、前記第２の表示部の少なくともいずれかの表示部から、前記被写体画像を表示する表示部を選択する表示制御処理と、を実行するプログラムが提供される。
なお、本プログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１３】
本発明の各視点によれば、操作者の利便性を向上させることに貢献する撮像装置、その制御方法及びプログラムが提供される。
【図面の簡単な説明】
【００１４】
【図１】一実施形態の概要を説明するための図である。
【図２】撮像装置１の全体構成の一例を示す斜視図である。
【図３】撮像装置１の全体構成の一例を示す斜視図である。
【図４】第１の実施形態に係る撮像装置１の内部構成の一例を示すブロック図である。
【図５】操作者２０１が撮像装置１を把持する一例を示す図である。
【図６】操作者２０２が撮像装置１を把持する一例を示す図である。
【図７】被写体画像を表示する処理の一例を示すフローチャートである。
【図８】撮影画像を決定する処理の一例を示すフローチャートである。
【図９】操作者２０３が撮像装置１を把持する一例を示す図である。
【図１０】表示の一例を示す図である。
【図１１】操作者２０４が撮像装置１を把持する一例を示す図である。
【図１２】被写体画像５１０の一例を示す図である。
【図１３】表示の一例を示す図である。
【図１４】操作者２０５が撮像装置１を把持する一例を示す図である。
【図１５】被写体画像５２０の一例を示す図である。
【図１６】表示の一例を示す図である。
【図１７】表示の一例を示す図である。
【図１８】基準領域、及び顔領域の一例を示す図である。
【図１９】操作者２０６が撮像装置１を把持する一例を示す図である。
【図２０】表示の一例を示す図である。
【図２１】第６の実施形態に係る撮像装置１ａの内部構成の一例を示すブロック図である。
【発明を実施するための形態】
【００１５】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１６】
上述の通り、操作者の利便性を向上させることに貢献する撮像装置が望まれる。
【００１７】
そこで、一例として、図１に示す撮像装置１００を提供する。撮像装置１００は、撮像部１０１と、第１の表示部１０２と、第２の表示部１０３と、人判定特徴量抽出部１０４と、被写体距離情報推定部１０５と、表示制御部１０６と、を備える。第１の表示部１０２は、撮像部１０１と同一の方向を向くように配置される表示部である。第２の表示部１０３は、撮像部１０１と異なる方向を向くように配置される表示部である。
【００１８】
まず、撮像部１０１は、被写体を撮像し、被写体画像を生成する（ステップＳ１００１）。そして、人判定特徴量抽出部１０４は、被写体画像から人判定特徴量を抽出する（ステップＳ１００２）。人判定特徴量とは、被写体が人であるか否かを判断するために必要な特徴量を意味する。例えば、人判定特徴量は、顔の特徴点、身体の特徴点等の情報であっても良い。
【００１９】
そして、被写体距離情報推定部１０５は、人判定特徴量に基づいて、被写体距離情報を推定する（ステップＳ１００３）。被写体距離情報とは、撮像部１０１と、被写体との距離を推定するために必要な情報を意味する。例えば、被写体距離情報は、被写体画像内での被写体の大きさに関する情報であっても良い。
【００２０】
そして、表示制御部１０６は、人判定特徴量、及び被写体距離情報に基づいて、第１の表示部１０２、第２の表示部１０３の少なくともいずれかの表示部から、被写体画像を表示する表示部を選択する（ステップＳ１００４）。
【００２１】
つまり、表示制御部１０６は、
・ 被写体が人であるか否か、及び
・ 撮像部１０１と、被写体と、の距離
に基づいて、被写体画像を表示する表示部を変更する。そのため、撮像装置１００においては、例えば、操作者が、被写体の方向に応じて、撮像部を手で回転させる等の操作を行い、撮像装置に被写体の方向を教示する必要がない。従って、撮像装置１００は、操作者の利便性を向上させることに貢献する。
【００２２】
［第１の実施形態］
第１の実施形態について、図面を用いてより詳細に説明する。
【００２３】
図２は、撮像装置１の全体構成の一例を示す斜視図である。撮像装置１は、第１の筐体２と、第２の筐体３と、を含んで構成される。第１の筐体２と、第２の筐体３と、はヒンジ部４を介して接続する。第１の筐体２は、一の面に撮像部５、及び第１の表示部６が配置されて構成される。また、第２の筐体３は、一の面に第２の表示部７が配置されて構成される。なお、図２は、本実施形態に係る撮像装置１を、図２で示す形態に限定する趣旨ではない。また、図２は、本実施形態に係る撮像装置１を、２つの表示部を備える装置に限定する趣旨ではない。撮像装置１は、２以上の表示部を備える装置であってもよい。以下の説明では、簡単のため、２つの表示部を備える装置について説明する。
【００２４】
撮像装置１は、２以上の表示部を備え、被写体を撮影可能な装置であれば、その種類は問わない。例えば、撮像装置１は、デジタルカメラ、デジタルビデオカメラ、スマートフォン、携帯電話、ゲーム機、タブレットＰＣ（Personal Computer）、ノートＰＣ、ＰＤＡ（Personal Data Assistants；携帯情報端末）等の装置であってもよい。
【００２５】
第１の表示部６は、第１の筐体２に配置され、撮像部５と同一の方向を向くように配置される。また、第２の表示部７は、第２の筐体３に配置され、第１の表示部６とは異なる位置に配置される表示部である。図２に示すように、第２の表示部７は、ヒンジ部４が回転軸周りに回転した場合、撮像部５と同一の方向を向くように配置しても良い。第１の表示部６、及び第２の表示部７は、液晶パネル、有機ＥＬ（Electro Luminescence）パネル等であっても良い。
【００２６】
撮像部５は、被写体を撮像し、被写体画像を生成する。
【００２７】
ヒンジ部４は、回転軸を備える。例えば、ヒンジ部４は、２つの回転軸を備え、２つの回転軸を連動して逆方向に回転させる二軸ヒンジであっても良い。その場合、２つの回転軸が逆方向に回転することで、第１の筐体２、及び第２の筐体３が回転する。ここで、ヒンジ部４に備わる回転軸は、第１の筐体２と第２の筐体３と、が０度以上３６０度未満の角度をなすように、回転可能である。
【００２８】
図３は、ヒンジ部４を回転した場合の全体構成の一例を示す斜視図である。以下の説明では、図２に示すように、第１の筐体２と第２の筐体３と、がなす角度が１８０度の状態を、撮像装置１を開いた状態と呼ぶ。また、以下の説明では、図３（ａ）、（ｂ）に示すように、第１の筐体２と第２の筐体３と、がなす角度が１８０度以外の状態を、撮像装置を折り曲げた状態と呼ぶ。図３（ａ）、（ｂ）に示すように、撮像装置１を折り曲げた場合、第２の表示部７は、第１の表示部６と異なる方向を向くように配置される。
【００２９】
図４は、撮像装置１の内部構成の一例を示すブロック図である。撮像装置１は、撮像部５と、第１の表示部６と、第２の表示部７と、第１の入力部８と、第２の入力部９と、記憶部１０と、制御部２０と、を含んで構成される。制御部２０は、人判定特徴量抽出部２１と、被写体距離情報推定部２２と、表示制御部２３と、を含んで構成される。図４は、簡単のため、本実施形態に係る撮像装置１に関係するモジュールを主に記載する。なお、第１の表示部６と、第２の表示部７は、上述の通りであるため、更なる説明を省略する。
【００３０】
撮像部５は、上述の通り、被写体画像を生成する。具体的には、撮像部５は、レンズ（図示せず）と、撮像素子（図示せず）と、を含んで構成される。まず、レンズで集光した光信号は、撮像素子の受光面で結像する。そして、撮像素子は、受光した光信号を電気信号（アナログ信号）に変換する。そして、撮像部５は、撮像素子が変換した電気信号に基づいて、被写体画像を生成する。なお、以下の説明では、シャッターボタンの押下等、ユーザの操作に基づいて保存される被写体画像を、撮影画像と呼ぶ。
【００３１】
制御部２０は、撮像装置１の全体を制御すると共に、図４に示す各部を制御する。制御部２０は、撮像装置１に搭載されたコンピュータに、そのハードウェアを用いて、撮像装置１の処理を実行させるコンピュータプログラムにより実現することもできる。
【００３２】
第１の入力部８、及び第２の入力部９は、ユーザの操作を受け付ける。制御部２０は、第１の入力部８が受け付けた操作に基づいて、第１の表示部６に表示する画像等を制御する。また、制御部２０は、第２の入力部９が受け付けた操作に基づいて、第２の表示部７に表示する画像等を制御する。
【００３３】
例えば、第１の入力部８は、第１の表示部６と一体化したタッチパネルであっても良い。第１の入力部８がタッチパネルである場合、第１の入力部８は、タッチパネルに対する接触操作（近接操作）を検出する。また、第１の入力部８は、操作キー等であっても良い。第１の入力部８が操作キー等である場合、第１の入力部８は、操作キーの押下操作を検出する。
【００３４】
同様に、第２の入力部９は、第２の表示部７と一体化したタッチパネルであっても良い。また、第２の入力部９は、操作キー等であっても良い。タッチパネルの構成、入力検出方法等は各種あるが、その詳細は問わない。なお、以下の説明では、簡単のため、第１の入力部８は、第１の表示部６と一体化したタッチパネルとする。また、第２の入力部９は、第２の表示部７と一体化したタッチパネルとして説明する。
【００３５】
記憶部１０は、撮像装置１の動作に必要な情報を記憶する。例えば、記憶部１０は、撮像部５が生成する被写体画像を記憶する。
【００３６】
制御部２０は、第１の表示部６、及び／又は第２の表示部７にシャッターボタンのアイコンを表示しても良い。その場合、第１の入力部８、及び／又は第２の入力部９は、シャッターボタンのアイコンに対する接触（近接）操作を検出しても良い。そして、第１の入力部８、及び／又は第２の入力部９がシャッターボタンに対する接触（近接）操作を検出した場合、制御部２０は被写体画像を撮影画像として、記憶部１０に記憶しても良い。
【００３７】
人判定特徴量抽出部２１は、被写体画像から人判定特徴量を抽出する。人判定特徴量は、顔の特徴点を含む。顔の特徴点とは、目、鼻、口、眉等の端点等を意味する。
【００３８】
例えば、人判定特徴量抽出部２１が顔の特徴点を抽出する場合を考える。その場合、記憶部１０は、予め、目、鼻、口等のテンプレート画像を記憶しておいても良い。そして、人判定特徴量抽出部２１は、記憶部１０が記憶するテンプレート画像と、被写体画像と、を照合し、顔の特徴点を抽出しても良い。
【００３９】
または、人判定特徴量抽出部２１は、まず、肌色領域を抽出しても良い。その場合、記憶部１０は、予め、肌色モデルを記憶しておいても良い。そして、人判定特徴量抽出部２１は、被写体画像から、肌色領域を抽出しても良い。そして、人判定特徴量抽出部２１は、検出した肌色領域から、目、鼻、口等のテンプレート画像等を用いて、顔の特徴点を検出しても良い。なお、顔の特徴点を抽出する方法は各種あるが、その詳細は問わない。
【００４０】
さらに、人判定特徴量抽出部２１は、人判定特徴量に基づいて、被写体画像内の人特徴領域を推定する。人特徴領域とは、被写体画像内において、人が存在する領域を意味する。例えば、人判定特徴量抽出部２１が、人判定特徴量として顔の特徴点を抽出したとする。その場合、人判定特徴量抽出部２１は、顔領域を人特徴領域として推定しても良い。顔領域とは、目、鼻、口等、顔の特徴点を含む領域を意味する。なお、人判定特徴量抽出部２１が推定する顔領域の形状は、矩形形状、楕円形状等であっても良く、その詳細は問わない。
【００４１】
被写体距離情報推定部２２は、人判定特徴量に基づいて、被写体距離情報を推定する。ここで、上述の通り、被写体距離情報とは、撮像部５と、被写体との距離を推定するために必要な情報である。なお、以下の説明では、撮像部５と、被写体との距離を被写体距離と呼ぶ。
【００４２】
例えば、被写体距離情報推定部２２は、顔領域の面積を、被写体距離情報として推定しても良い。その場合、被写体距離情報推定部２２は、顔領域の面積が大きいほど、被写体距離が短いと推定しても良い。
【００４３】
表示制御部２３は、人判定特徴量、及び被写体距離情報に基づいて、撮像部５と、撮像装置１の操作者と、が相対するか否かを判断する。
【００４４】
ここで、説明のため、
条件１：人判定特徴量抽出部２１が所定の人判定特徴量を抽出
条件２：被写体距離が所定の閾値以下
とする。条件１及び条件２が満たされる場合、表示制御部２３は、撮像部５と、操作者と、が相対すると判断する。一方、条件１、又は条件２の少なくとも一方が満たされない場合、表示制御部２３は、撮像部５と、操作者と、が相対しないと判断する。
【００４５】
そして、表示制御部２３は、人判定特徴量、及び被写体距離情報に基づいて、第１の表示部６、第２の表示部７の少なくともいずれかの表示部から、被写体画像を表示する表示部を選択する。なお、以下の説明では、被写体画像を表示する表示部を、選択表示部と呼ぶ。
【００４６】
具体的には、人判定特徴量抽出部２１は、被写体画像内の人特徴領域を抽出する。そして、人特徴領域の面積が所定の閾値を超える場合、表示制御部２３は、撮像部５と、操作者と、が相対すると判断する。一方、人特徴領域の面積が所定の閾値以下である場合、表示制御部２３は、撮像部５と、操作者と、が相対しないと判断する。
【００４７】
なお、表示制御部２３は、第１の入力部８、又は第２の入力部９が撮影画像を決定する操作を検出するまで、選択表示部に、被写体画像を動画として表示することが好ましい。つまり、表示制御部２３は、各フレームの被写体画像の出力と同期して、被写体画像を動画として、選択表示部に表示することが好ましい。ここで、表示制御部２３は、選択表示部のサイズに応じて、被写体画像のサイズを変換し、選択表示部に被写体画像を表示しても良いことは勿論である。
【００４８】
次に、表示制御部２３が撮像部５と、操作者と、が相対しないと判断する場合について、詳細に説明する。以下の説明では、簡単のため、操作者は、撮像装置１を閉じて、撮像装置１を把持するとする。
【００４９】
図５は、操作者２０１が、撮像部５を操作者２０１の視線方向に向けて、撮像装置１を把持する一例を示す図である。図５の場合、撮像部５と、操作者２０１と、が相対しない状態である。そして、図５の場合、撮像装置１は、折り曲げた状態である。図５の場合、操作者２０１は、第２の表示部７を視認できるが、第１の表示部６を視認できない。そこで、表示制御部２３は、撮像部５と、操作者と、が相対しないと判断する場合、第１の表示部６を消灯する。その結果、撮像装置１は無駄な電力消費を抑制できる。
【００５０】
また、表示制御部２３は、撮像部５と、操作者と、が相対しないと判断する場合、第２の表示部７に被写体画像を表示する。その際、表示制御部２３は、第２の表示部７に被写体画像の正像を表示することが好ましい。
【００５１】
次に、撮像部５と、操作者と、が相対する場合について、詳細に説明する。
【００５２】
図６は、操作者２０２が、撮像部５を操作者２０２自身の方向に向けて、撮像装置１を把持する一例を示す図である。図６の場合、撮像部５と、操作者２０２と、が相対する状態である。そして、図６の場合、撮像装置１は、折り曲げた状態である。そのため、図６の場合、操作者２０２は、第１の表示部６を視認できるが、第２の表示部７を視認できない。そこで、表示制御部２３は、撮像部５と、操作者と、が相対すると判断する場合、第１の表示部６を点灯する。
【００５３】
また、表示制御部２３は、撮像部５と、操作者と、が相対すると判断する場合、第１の表示部６に被写体画像を表示する。その際、第１の表示部６に被写体画像の鏡像を表示することが好ましい。具体的には、表示制御部２３は、撮像部５と、操作者と、が相対すると判断する場合、被写体画像の左右反転画像を生成する。そして、表示制御部２３は、生成した左右反転画像を、第１の表示部６に表示することが好ましい。
【００５４】
次に、撮像装置１の動作について説明する。なお、以下の説明では、簡単のため、人判定特徴量抽出部２１が、顔の特徴点を抽出する場合を例示して説明する。ただし、これは、人判定特徴量を顔の特徴点に限定する趣旨ではない。
【００５５】
図７は、被写体画像を表示する処理の一例を示すフローチャートである。
【００５６】
ステップＳ１において、制御部２０は、撮像部５を起動したか否かを判断する。制御部２０が撮像部５を起動した場合（ステップＳ１のＹｅｓ分岐）には、撮像部５は、被写体を撮像し、被写体画像を生成する（ステップＳ２）。そして、ステップＳ３に遷移する。一方、制御部２０が撮像部５を起動していない場合（ステップＳ１のＮｏ分岐）には、制御部２０は、撮像部５を起動したか否かの判断（ステップＳ１）を繰り返す。
【００５７】
ステップＳ３において、人判定特徴量抽出部２１は、被写体画像から顔の特徴点を抽出する。
【００５８】
そして、ステップＳ４において、顔の特徴点が抽出されたか否かを、人判定特徴量抽出部２１は判断する。顔の特徴点が抽出された場合（ステップＳ４のＹｅｓ分岐）には、ステップＳ５に遷移する。一方、顔の特徴点が抽出されない場合（ステップＳ４のＮｏ分岐）には、ステップＳ１１に遷移する。
【００５９】
ステップＳ５において、人判定特徴量抽出部２１は、顔領域を推定する。そして、ステップＳ６において、被写体距離情報推定部２２は、顔領域の面積を算出する。
【００６０】
ステップＳ７において、顔領域の面積が所定の閾値を超えるか否かを、表示制御部２３は判断する。顔領域の面積が所定の閾値を超える場合（ステップＳ７のＹｅｓ分岐）には、ステップＳ８に遷移する。一方、顔領域の面積が所定の閾値以下の場合（ステップＳ７のＮｏ分岐）には、ステップＳ１１に遷移する。
【００６１】
顔領域の面積が所定の閾値を超える場合（ステップＳ７のＹｅｓ分岐）には、表示制御部２３は、撮像部５と、操作者と、が相対していると判断する（ステップＳ８）。そして、表示制御部２３は、第１の表示部６を、選択表示部として選択する。そして、ステップＳ９において、表示制御部２３は、第１の表示部６に被写体画像の鏡像を表示する。そして、ステップＳ１０において、表示制御部２３は、第２の表示部７を消灯する。そして、図８に示すステップＳ２１に遷移する（ステップＳ１４）。
【００６２】
一方、顔領域の面積が所定の閾値以下の場合（ステップＳ７のＮｏ分岐）には、表示制御部２３は、撮像部５と、操作者と、が相対していないと判断する（ステップＳ１１）。そして、ステップＳ１２において、表示制御部２３は、第２の表示部７に被写体画像の正像を表示する。そして、ステップＳ１３において、表示制御部２３は、第１の表示部６を消灯する。そして、図８に示すステップＳ２１に遷移する（ステップＳ１４）。
【００６３】
図８は、撮影画像を決定する処理の一例を示すフローチャートである。
【００６４】
ステップＳ２１において、第１の入力部８、又は第２の入力部９が撮影画像を決定する操作を検出したか否かを、制御部２０は判断する。例えば、第１の入力部８、又は第２の入力部９がシャッターボタンの押下操作を検出したか否かを、制御部２０は判断しても良い。
【００６５】
第１の入力部８、又は第２の入力部９が撮影画像を決定する操作を検出した場合（ステップＳ２１のＹｅｓ分岐）には、制御部２０は、被写体画像を撮影画像として決定する（ステップＳ２２）。その際、制御部２０は、被写体画像の正像を、撮影画像として決定する。具体的には、上述の通り、表示制御部２３が第１の表示部６に被写体画像の鏡像を表示した場合であっても、制御部２０は、被写体画像の正像を、撮影画像として決定する。
【００６６】
ステップＳ２３において、制御部２０は、撮影画像を記憶部１０に保存する。そして、撮像装置１は被写体を撮影する処理を終了する。または、撮像装置１は、図７に示すステップＳ２に戻り、撮影処理を継続しても良い。
【００６７】
一方、第１の入力部８、又は第２の入力部９が撮影画像を決定する操作を検出しない場合（ステップＳ２１のＮｏ分岐）には、図７に示すステップＳ２に戻り、撮影処理を継続する。
【００６８】
ここで、撮像部５の前方に人が存在しない場合の一例を示す。
【００６９】
図９は、操作者２０３が、撮像部５を操作者２０３の視線方向に向けて、撮像装置１を把持する一例を示す図である。図１０は、図９の場合の第１の表示部６、及第２の表示部７の表示の一例を示す図である。具体的には、図１０（ａ）は、図９の場合の第２の表示部７の表示の一例を示す図である。また、図１０（ｂ）は、図９の場合の第１の表示部６の表示の一例を示す図である。
【００７０】
図９の場合、撮像部５の前方に人は存在しない。そのため、人判定特徴量抽出部２１は、被写体画像から、人判定特徴量を抽出しない。つまり、図９の場合、表示制御部２３は、上述の条件１を満たさないと判断する。
【００７１】
その結果、表示制御部２３は、撮像部５と、操作者と、が相対しないと判断する。そのため、表示制御部２３は、第２の表示部７を選択表示部として選択する。そして、表示制御部２３は、図１０（ａ）に示すように、第２の表示部７に被写体画像を表示する。また、表示制御部２３は、図１０（ｂ）に示すように、第１の表示部６を消灯することが好ましい。
【００７２】
また、表示制御部２３は、図１０（ａ）に示すように、第２の表示部７にシャッターボタンを示すアイコン３０１を表示しても良い。そして、第２の入力部９（タッチパネル）がアイコン３０１の接触（近接）操作を検出した場合、制御部２０は撮影画像を決定しても良い。
【００７３】
次に、撮像部５の前方に、操作者以外の人が存在する場合の一例を示す。
【００７４】
図１１は、操作者２０４が、撮像部５を操作者２０４の視線方向に向けて、撮像装置１を把持する一例を示す図である。そして、図１１の場合、撮像部５の前方に、被写体人物４０１が存在する。
【００７５】
図１２は、図１１の場合の被写体画像５１０の一例を示す図である。また、図１３は、図１１の場合の第１の表示部６、及び第２の表示部７の表示の一例を示す図である。具体的には、図１３（ａ）は、図１１の場合の第２の表示部７の表示の一例を示す図である。また、図１３（ｂ）は、図１１の場合の第１の表示部６の表示の一例を示す図である。
【００７６】
図１１の場合、人判定特徴量抽出部２１は、図１２に示す被写体画像５１０から、被写体人物４０１の顔の特徴点を抽出する。つまり、図１１の場合、表示制御部２３は、上述の条件１を満たすと判断する。
【００７７】
さらに、人判定特徴量抽出部２１は、顔の特徴点を抽出した場合、図１２に示すように、被写体画像５１０において顔領域５１１を推定する。そして、被写体距離情報推定部２２は、顔領域５１１の面積を、被写体距離情報として推定する。そして、表示制御部２３は、顔領域５１１の面積が所定の閾値を超えるか否かを判断する。ここで、図１２の場合、顔領域５１１の面積が所定の閾値以下であるとする。その場合、表示制御部２３は、上述の条件２を満たさないと判断する。
【００７８】
その結果、表示制御部２３は、撮像部５と、操作者と、が相対しないと判断する。そのため、表示制御部２３は、第２の表示部７を選択表示部として選択する。そして、表示制御部２３は、図１３（ａ）に示すように、第２の表示部７に被写体画像を表示する。その際、図１３（ａ）に示すように、表示制御部２３は、顔領域５１２の枠線を、第２の表示部７に表示しても良い。また、表示制御部２３は、図１３（ｂ）に示すように、第１の表示部６を消灯することが好ましい。
【００７９】
次に、操作者が、操作者自身を撮影する場合の一例を示す。
【００８０】
図１４は、操作者２０５が、撮像部５を操作者２０５自身の方向に向けて、撮像装置１を把持する一例を示す図である。図１５は、図１４の場合の被写体画像５２０の一例を示す図である。図１６は、図１４の場合の第１の表示部６、及び第２の表示部７の表示の一例を示す図である。具体的には、図１６（ａ）は、図１４の場合の第２の表示部７の表示の一例を示す図である。また、図１６（ｂ）は、図１４の場合の第１の表示部６の表示の一例を示す図である。
【００８１】
図１４の場合、人判定特徴量抽出部２１は、図１５に示す被写体画像５２０から、操作者２０５の顔の特徴点を抽出する。つまり、図１４の場合、表示制御部２３は、上述の条件１を満たすと判断する。
【００８２】
さらに、人判定特徴量抽出部２１は、顔の特徴点を抽出した場合、図１５に示すように、顔領域５２１を推定する。そして、被写体距離情報推定部２２は、顔領域５２１の面積を、被写体距離情報として推定する。そして、表示制御部２３は、顔領域５２１の面積が所定の閾値を超えるか否かを判断する。ここで、図１５の場合、顔領域５２１の面積が所定の閾値を超えるとする。その場合、表示制御部２３は、上述の条件２を満たすと判断する。
【００８３】
その結果、表示制御部２３は、撮像部５と、操作者と、が相対すると判断する。そのため、表示制御部２３は、第１の表示部６を選択表示部として選択する。そして、表示制御部２３は、図１６（ｂ）に示すように、第１の表示部６に被写体画像を表示する。その際、表示制御部２３は、図１５に示す被写体画像５２０の鏡像を、第１の表示部６に表示する。また、図１６（ｂ）に示すように、表示制御部２３は、顔領域５２１の枠線を、第１の表示部６に表示しても良い。また、表示制御部２３は、図１６（ａ）に示すように、第２の表示部７を消灯しても良い
【００８４】
［変形例１］
本実施形態に係る撮像装置１の変形例として、表示制御部２３が、撮像部５と、操作者と、が相対しないと判断する場合、「カメラ起動中」等のメッセージを第１の表示部６に表示しても良い。
【００８５】
以上のように、本実施形態に係る撮像装置１は、２以上の表示部を備え、撮像部５と、操作者と、が相対しているか否かに応じて、被写体画像を表示する表示部を変更する。そのため、本実施形態に係る撮像装置１の操作者は、操作者自身を撮影する際に、表示部を切り替える等の操作を行う必要がない。従って、本実施形態に係る撮像装置１は、操作者の利便性を向上させることに貢献する。
【００８６】
［第２の実施形態］
第２の実施形態について、図面を用いて詳細に説明する。
【００８７】
本実施形態は、撮像部５と、操作者と、が相対すると判断する場合、第１の表示部６、及び第２の表示部７を選択表示部とする実施形態である。なお、本実施形態における説明では、第１の実施形態と重複する部分の説明は省略する。さらに、本実施形態における説明では、第１の実施形態と同一の構成要素には、同一の符号を付し、その説明を省略する。
【００８８】
本実施形態に係る撮像装置１の内部構成は、図４に示す撮像装置１の内部構成の通りである。
【００８９】
表示制御部２３が、撮像部５と、操作者と、が相対すると判断する場合であっても、操作者が、所定の範囲内の距離で、操作者以外の人物を撮影する場合がある。そこで、本実施形態に係る表示制御部２３は、撮像部５と、操作者と、が相対すると判断する場合、第１の表示部６、及び第２の表示部７を点灯する。そして、表示制御部２３は、撮像部５と、操作者と、が相対すると判断する場合、第１の表示部６に被写体画像の鏡像を表示し、第２の表示部７に被写体画像の正像を表示する。
【００９０】
図１７は、上述の条件１及び条件２を満たす場合の第１の表示部６、及び第２の表示部７の表示の一例を示す図である。図１７（ａ）は、第２の表示部７の表示の一例を示す図である。また、図１７（ｂ）は、第１の表示部６の一例を示す図である。
【００９１】
上述の通り、表示制御部２３は、上述の条件１及び条件２を満たす場合、撮像部５と、操作者と、が相対すると判断するとする。ここで、本実施形態に係る表示制御部２３は、図１７（ａ）、（ｂ）に示すように、第１の表示部６、及び第２の表示部７に被写体画像を表示する。具体的には、本実施形態に係る表示制御部２３は、図１７（ａ）に示すように、被写体画像の正像を、第２の表示部７に表示する。また、本実施形態に係る表示制御部２３は、図１７（ｂ）に示すように、被写体画像の鏡像を、第１の表示部６に表示する。その結果、操作者が、操作者以外の人物を接写する場合であっても、操作者は、第２の表示部７の表示を見て、被写体画像を確認できる。
【００９２】
以上のように、本実施形態に係る撮像装置１は、撮像部５と、操作者と、が相対すると判断する場合、第１の表示部６、及び第２の表示部７に、被写体画像を表示する。そのため、本実施形態に係る撮像装置１は、所定の範囲内の距離で、操作者以外の人物を撮影する場合であっても、被写体を表示する表示部を切り替える操作を、操作者に要求する必要なく、被写体を撮影できる。また、上述の通り、本実施形態に係る撮像装置１は、操作者が操作者自身を撮影する場合、被写体を表示する表示部を切り替える操作を、操作者に要求する必要がない。従って、本実施形態係る撮像装置１は、操作者の利便性を向上させることに貢献する。
【００９３】
［第３の実施形態］
第３の実施形態について、図面を用いて詳細に説明する。
【００９４】
本実施形態は、顔領域と、基準領域と、の比較結果に基づいて、選択表示部を決定する形態である。なお、本実施形態における説明では、上述の形態と重複する部分の説明は省略する。さらに、本実施形態における説明では、上述の実施形態と同一の構成要素には、同一の符号を付し、その説明を省略する。
【００９５】
本実施形態に係る撮像装置１の内部構成は、図４に示す撮像装置１の内部構成の通りである。
【００９６】
本実施形態に係る表示制御部２３は、人特徴領域の内部に、所定の基準領域が所定の割合を超えて含まれる場合、撮像部５と、操作者と、が相対すると判断する。一方、本実施形態に係る表示制御部２３は、人特徴領域の内部に、所定の基準領域が所定の割合を超えて含まれない場合、撮像部５と、操作者と、が相対しないと判断する。ここで、記憶部１０は、予め、基準領域を記憶しておくことが好ましい。
【００９７】
そして、表示制御部２３は、人特徴領域の内部に、所定の基準領域が所定の割合を超えて含まれる場合、第１の表示部６に被写体画像を表示する。一方、表示制御部２３は、人特徴領域の内部に、所定の基準領域が所定の割合を超えて含まれない場合、第２の表示部７に被写体画像を表示する。
【００９８】
表示制御部２３は、選択表示部に、基準領域、及び人特徴領域を表示しても良い。その際、表示制御部２３は、基準領域、及び人特徴領域の表示態様を区別しても良い。例えば、表示制御部２３は、人特徴領域を示す線の種類、線の色、太さ等と異なる線の種類、色、太さ等で、基準領域、及び人特徴領域を選択表示部に表示しても良い。
【００９９】
図１８は、基準領域、及び顔領域の一例を示す図である。図１８（ａ）の場合、被写体画像５３０において、基準領域５３２は顔領域５３１の内部に含まれない。そのため、表示制御部２３は、第２の表示部７に被写体画像を表示する。
【０１００】
一方、図１８（ｂ）の場合、被写体画像５４０において、基準領域５４２は、顔領域５４１の内部に含まれる。そのため、表示制御部２３は、第１の表示部６に被写体画像を表示する。
【０１０１】
以上のように、本実施形態に係る撮像装置１は、顔領域と、基準領域と、の比較結果に基づいて、選択表示部を決定する。さらに、本実施形態に係る撮像装置１は、基準領域、及び顔領域を第１の表示部６、または第２の表示部７に表示する。そのため、本実施形態に係る撮像装置１においては、操作者は、基準領域、及び顔領域の表示に基づいて、撮像部５と、被写体と、の距離を調整できる。従って、本実施形態に係る撮像装置１は、より一層、操作者の利便性を向上させることに貢献する。
【０１０２】
［第４の実施形態］
第４の実施形態について、図面を用いてより詳細に説明する。
【０１０３】
本実施形態は、撮像装置１を開いた状態で使用する形態である。なお、本実施形態における説明では、上述の形態と重複する部分の説明は省略する。さらに、本実施形態における説明では、上述の実施形態と同一の構成要素には、同一の符号を付し、その説明を省略する。
【０１０４】
本実施形態に係る撮像装置１の内部構成は、図４に示す撮像装置１の内部構成の通りである。
【０１０５】
第２の表示部７が撮像部５と同一の方向を向くように配置されている際に、本実施形態に係る表示制御部２３は、撮像部５と、操作者と、が相対すると判断する場合、少なくとも一の表示部に、被写体画像の鏡像、又は正像を表示する。
【０１０６】
また、第２の表示部７が撮像部５と同一の方向を向くように配置されている際に、本実施形態に係る表示制御部２３は、撮像部５と、操作者と、が相対すると判断する場合、一の表示部に被写体画像の鏡像を表示し、当該表示部と異なる他方の表示部に、被写体画像の正像を表示しても良い。
【０１０７】
図１９は、撮像部５と、操作者２０６と、が相対するように、操作者２０６が撮像装置１を開いて把持する一例を示す上面図である。図２０は、図１９の場合の第１の表示部６、及び第２の表示部７の表示の一例を示す図である。
【０１０８】
操作者２０６が、図１９に示すように撮像装置１を開いて把持する場合、第２の表示部７が撮像部５と同一の方向を向くように配置されている。そこで、操作者２０６が、図１９に示すように撮像装置１を開いて把持する場合、図２０に示すように、表示制御部２３は、第１の表示部６に被写体画像の鏡像を表示し、第２の表示部７に被写体画像を表示しても良い。
【０１０９】
以上のように、本実施形態に係る撮像装置１は、２以上の表示部を操作者が視認可能な状態で、被写体を撮影しても良い。そして、本実施形態に係る撮像装置１は、被写体画像の鏡像、及び正像を表示部に表示しても良い。その結果、操作者は、被写体画像の鏡像、及び正像を確認して、撮影を行うことができる。従って、本実施形態に係る撮像装置１は、より一層、操作者の利便性を向上させることに貢献する。
【０１１０】
［第５の実施形態］
第５の実施形態について、詳細に説明する。
【０１１１】
本実施形態は、身体の特徴量に基づいて、選択表示部を決定する形態である。なお、本実施形態における説明では、上述の形態と重複する部分の説明は省略する。さらに、本実施形態における説明では、上述の実施形態と同一の構成要素には、同一の符号を付し、その説明を省略する。
【０１１２】
本実施形態に係る撮像装置１の内部構成は、図４に示す撮像装置１の内部構成の通りである。
【０１１３】
本実施形態に係る人判定特徴量抽出部２１は、被写体画像から、人判定特徴量として身体の特徴量を抽出する。身体の特徴量とは、胴体、手、腕等の特徴点を含む情報である。
【０１１４】
人判定特徴量抽出部２１は、胴体の特徴点を抽出した場合、胴体の領域を人特徴領域として抽出しても良い。または、人判定特徴量抽出部２１は、手の特徴点を抽出した場合、手の領域を人特徴領域として抽出してもよい。あるいは、人判定特徴量抽出部２１は、腕の特徴点を抽出した場合、腕の領域を人特徴領域として抽出しても良い。なお、これらの例示は、人特徴領域を、胴体の領域、手の領域、腕の領域に限定する趣旨ではない。
【０１１５】
そして、本実施形態に係る被写体距離情報推定部２２は、肩幅、手の領域の面積、腕の太さ等を、被写体距離情報として推定する。
【０１１６】
本実施形態に係る表示制御部２３は、肩幅、手の領域の面積、腕の太さ等が所定の閾値を超える場合、撮像部５と、操作者と、が相対すると判断する。一方、本実施形態に係る表示制御部２３は、肩幅、手の領域の面積、腕の太さ等が所定の閾値以下の場合、撮像部５と、操作者と、が相対しないと判断する。
【０１１７】
そして、表示制御部２３は、肩幅、手の領域の面積、腕の太さ等が所定の閾値を超える場合、第１の表示部６に被写体画像を表示しても良い。一方、表示制御部２３は、肩幅、手の領域の面積、腕の太さ等が所定の閾値以下の場合、第２の表示部７に被写体画像を表示しても良い。
【０１１８】
以上のように、本実施形態に係る撮像装置１は、身体の特徴量に基づいて、選択表示部を決定する。従って、操作者が操作者自身を撮影する際、被写体画像において、顔領域の面積が所定の閾値以下であっても、本実施形態に係る撮像装置１は、身体の特徴量に基づいて、第１の表示部６に被写体画像を表示する。従って、本実施形態に係る撮像装置１は、操作者が操作者自身を撮影する際、より一層、操作者の利便性を向上させることに貢献する。
【０１１９】
［第６の実施形態］
第６の実施形態について、図面を用いてより詳細に説明する。
【０１２０】
本実施形態は、人判定特徴量、及び焦点距離に基づいて、選択表示部を決定する形態である。なお、本実施形態における説明では、上述の形態と重複する部分の説明は省略する。さらに、本実施形態における説明では、上述の実施形態と同一の構成要素には、同一の符号を付し、その説明を省略する。
【０１２１】
図２１は、本実施形態に係る撮像装置１ａの内部構成の一例を示すブロック図である。図４に示す撮像装置１と、図２１に示す撮像装置１ａの相違点は、図２１に示す撮像装置１ａは、焦点距離決定部２４を備える点である。
【０１２２】
焦点距離決定部２４は、被写体画像に基づいて、焦点距離を決定する。例えば、焦点距離決定部２４は、被写体画像のコントラスト値に基づいて、撮影レンズ（図示せず）を移動させて、焦点距離を決定しても良い。つまり、焦点距離決定部２４は、所謂、オートフォーカス処理を行い、焦点距離を決定しても良い。
【０１２３】
本実施形態に係る被写体距離情報推定部２２は、焦点距離決定部２４が決定した焦点距離を、被写体距離情報として推定する。
【０１２４】
表示制御部２３は、人判定特徴量抽出部２１が所定の人判定特徴量を抽出した際に、焦点距離が所定の閾値以下の場合、撮像部５と、操作者と、が相対すると判断する。一方、表示制御部２３は、人判定特徴量抽出部２１が所定の人判定特徴量を抽出した際に、焦点距離が所定の閾値を超える場合、撮像部５と、操作者と、が相対しないと判断する。なお、人判定特徴量抽出部２１が所定の人判定特徴量を抽出した場合、焦点距離決定部２４は、人特徴領域に基づいて、焦点距離を決定することが好ましい。
【０１２５】
そして、表示制御部２３は、人判定特徴量抽出部２１が所定の人判定特徴量を抽出した際に、焦点距離が所定の閾値以下の場合、第１の表示部６に被写体画像を表示する。一方、表示制御部２３は、人判定特徴量抽出部２１が所定の人判定特徴量を抽出した際に、焦点距離が所定の閾値を超える場合、第２の表示部７に被写体画像を表示する。
【０１２６】
以上のように、本実施形態に係る撮像装置１ａは、人判定特徴量、及び焦点距離に基づいて、選択表示部を決定する。そして、本実施形態に係る撮像装置１ａは、被写体に焦点があった状態で、選択表示部を決定する。そのため、本実施形態に係る撮像装置１ａは、焦点の合った被写体画像を撮影できる。従って、本実施形態に係る撮像装置１ａは、より一層、操作者の利便性を向上させることに貢献する。
【０１２７】
なお、上述した実施形態においては、ユーザの操作を受け付ける方法として、タッチパネルの接触の検出、操作キー等の押下を例示して説明した。しかし、ユーザの操作を受け付ける方法を、これらの方法に限定する趣旨ではない。例えば、ユーザの操作を受け付ける方法は、音声認識、ユーザのジェスチャ認識、撮像装置の運動検出、ユーザの視線検出等、各種あるが、その詳細は問わない。また、撮像装置は、ユーザの操作を受け付ける方法に応じて、各種のセンサ等を備えても良いことは勿論である。
【０１２８】
上述の実施形態の一部又は全部は、以下の付記のようにも記載され得るが、以下には限られない。
【０１２９】
（付記１）上記第１の視点に係る撮像装置の通りである。
【０１３０】
（付記２）前記表示制御部は、前記人判定特徴量、及び前記被写体距離情報に基づいて、前記撮像部と、操作者と、が相対するか否かを判断し、前記表示制御部は、前記撮像部と、前記操作者と、が相対すると判断する場合、前記第１の表示部に前記被写体画像を表示し、前記撮像部と、前記操作者と、が相対しないと判断する場合、前記第２の表示部に前記被写体画像を表示する付記１に記載の撮像装置。
【０１３１】
（付記３）前記表示制御部は、前記撮像部と、前記操作者と、が相対すると判断する場合、前記第１の表示部を点灯し、前記撮像部と、前記操作者と、が相対しないと判断する場合、前記第１の表示部を消灯する付記２に記載の撮像装置。
【０１３２】
（付記４）人判定特徴量抽出部は、前記人判定特徴量に基づいて、前記被写体画像内の人特徴領域を抽出し、前記被写体距離情報推定部は、前記人特徴領域の面積に基づいて、前記被写体距離情報を推定し、前記表示制御部は、前記人特徴領域の面積が所定の閾値を超える場合、前記撮像部と、前記操作者と、が相対すると判断し、前記人特徴領域の面積が所定の閾値以下である場合、前記撮像部と、前記操作者と、が相対しないと判断する付記２又は３に記載の撮像装置。
【０１３３】
（付記５）前記表示制御部は、前記人特徴領域の内部に、所定の基準領域が所定の割合を超えて含まれる場合、前記撮像部と、前記操作者と、が相対すると判断し、前記人特徴領域の内部に、所定の基準領域が所定の割合を超えて含まれない場合、前記撮像部と、前記操作者と、が相対しないと判断する付記４に記載の撮像装置。
【０１３４】
（付記６）前記被写体画像に基づいて、焦点距離を決定する焦点距離決定部を備え、
前記表示制御部は、前記人判定特徴量抽出部が所定の前記人判定特徴量を抽出した際に、前記焦点距離が所定の閾値以下の場合、前記撮像部と、前記操作者と、が相対すると判断し、前記焦点距離が所定の閾値を超える場合、前記撮像部と、前記操作者と、が相対しないと判断する付記２乃至５のいずれか一に記載の撮像装置。
【０１３５】
（付記７）前記表示制御部は、前記撮像部と、前記操作者と、が相対すると判断する場合、前記第１の表示部に前記被写体画像の鏡像を表示し、前記撮像部と、前記操作者と、が相対しないと判断する場合、前記第２の表示部に前記被写体画像の正像を表示する付記２乃至６のいずれか一に記載の撮像装置。
【０１３６】
（付記８）回転軸を含むヒンジ部と、前記撮像部、及び前記第１の表示部を含む第１の筐体と、前記第２の表示部を含む第２の筐体と、を備え、前記第１の筐体と、前記第２の筐体と、は前記ヒンジ部を介して接続し、前記第２の表示部は、前記ヒンジ部が前記回転軸周りに回転した場合、前記撮像部と同一の方向を向くように配置可能であり、前記第２の表示部が前記撮像部と同一の方向を向くように配置されている際に、前記表示制御部は、前記撮像部と、前記操作者と、が相対すると判断する場合、少なくとも一の表示部に、前記被写体画像の鏡像、又は正像を表示する付記２乃至７のいずれか一に記載の撮像装置。
【０１３７】
（付記９）前記人判定特徴量は、顔の特徴点、又は身体の特徴量の少なくともいずれかを含む付記１乃至８のいずれか一に記載の撮像装置。
【０１３８】
（付記１０）上記第２の視点に係る撮像装置の制御方法の通りである。
【０１３９】
（付記１１）前記表示制御工程において、前記人判定特徴量、及び前記被写体距離情報に基づいて、前記撮像部と、操作者と、が相対するか否かを判断し、前記撮像部と、前記操作者と、が相対すると判断される場合、前記第１の表示部に前記被写体画像を表示し、前記撮像部と、前記操作者と、が相対しないと判断される場合、前記第２の表示部に前記被写体画像を表示する付記１０に記載の撮像装置の制御方法。
【０１４０】
（付記１２）前記表示制御工程において、前記撮像部と、前記操作者と、が相対すると判断される場合、前記第１の表示部を点灯し、前記撮像部と、前記操作者と、が相対しないと判断される場合、前記第１の表示部を消灯する付記１１に記載の撮像装置の制御方法。
【０１４１】
（付記１３）人判定特徴量抽出工程において、前記人判定特徴量に基づいて、前記被写体画像内の人特徴領域を抽出し、前記被写体距離情報推定工程において、前記人特徴領域の面積に基づいて、前記被写体距離情報を推定し、前記表示制御工程において、前記人特徴領域の面積が所定の閾値を超える場合、前記撮像部と、前記操作者と、が相対すると判断し、前記人特徴領域の面積が所定の閾値以下である場合、前記撮像部と、前記操作者と、が相対しないと判断する付記１１又は１２に記載の撮像装置の制御方法。
【０１４２】
（付記１４）前記表示制御工程において、前記人特徴領域の内部に、所定の基準領域が所定の割合を超えて含まれる場合、前記撮像部と、前記操作者と、が相対すると判断し、前記人特徴領域の内部に、所定の基準領域が所定の割合を超えて含まれない場合、前記撮像部と、前記操作者と、が相対しないと判断する付記１３に記載の撮像装置の制御方法。
【０１４３】
（付記１５）前記被写体画像に基づいて、焦点距離を決定する焦点距離決定工程を含み、前記表示制御工程において、所定の前記人判定特徴量が抽出された際に、前記焦点距離が所定の閾値以下の場合、前記撮像部と、前記操作者と、が相対すると判断し、前記焦点距離が所定の閾値を超える場合、前記撮像部と、前記操作者と、が相対しないと判断する付記１１乃至１４のいずれか一に記載の撮像装置の制御方法。
【０１４４】
（付記１６）前記表示制御工程において、前記撮像部と、前記操作者と、が相対すると判断する場合、前記第１の表示部に前記被写体画像の鏡像を表示し、前記撮像部と、前記操作者と、が相対しないと判断する場合、前記第２の表示部に前記被写体画像の正像を表示する付記１１乃至１５のいずれか一に記載の撮像装置の制御方法。
【０１４５】
（付記１７）上記第３の視点に係るプログラムの通りである。
【０１４６】
（付記１８）前記表示制御処理において、前記人判定特徴量、及び前記被写体距離情報に基づいて、前記撮像部と、操作者と、が相対するか否かを判断し、前記撮像部と、前記操作者と、が相対すると判断される場合、前記第１の表示部に前記被写体画像を表示し、前記撮像部と、前記操作者と、が相対しないと判断される場合、前記第２の表示部に前記被写体画像を表示する付記１７に記載のプログラム。
【０１４７】
（付記１９）前記表示制御処理において、前記撮像部と、前記操作者と、が相対すると判断される場合、前記第１の表示部を点灯し、前記撮像部と、前記操作者と、が相対しないと判断される場合、前記第１の表示部を消灯する付記１８に記載のプログラム。
【０１４８】
（付記２０）人判定特徴量抽出処理において、前記人判定特徴量に基づいて、前記被写体画像内の人特徴領域を抽出し、前記被写体距離情報推定処理において、前記人特徴領域の面積に基づいて、前記被写体距離情報を推定し、前記表示制御処理において、前記人特徴領域の面積が所定の閾値を超える場合、前記撮像部と、前記操作者と、が相対すると判断し、前記人特徴領域の面積が所定の閾値以下である場合、前記撮像部と、前記操作者と、が相対しないと判断する付記１８又は１９に記載のプログラム。
【０１４９】
（付記２１）前記表示制御処理において、前記人特徴領域の内部に、所定の基準領域が所定の割合を超えて含まれる場合、前記撮像部と、前記操作者と、が相対すると判断し、前記人特徴領域の内部に、所定の基準領域が所定の割合を超えて含まれない場合、前記撮像部と、前記操作者と、が相対しないと判断する付記２０に記載のプログラム。
【０１５０】
（付記２２）前記被写体画像に基づいて、焦点距離を決定する焦点距離決定処理を実行し、前記表示制御処理において、所定の前記人判定特徴量が抽出された際に、前記焦点距離が所定の閾値以下の場合、前記撮像部と、前記操作者と、が相対すると判断し、前記焦点距離が所定の閾値を超える場合、前記撮像部と、前記操作者と、が相対しないと判断する付記１８乃至２１のいずれか一に記載のプログラム。
【０１５１】
（付記２３）前記表示制御処理において、前記撮像部と、前記操作者と、が相対すると判断する場合、前記第１の表示部に前記被写体画像の鏡像を表示し、前記撮像部と、前記操作者と、が相対しないと判断する場合、前記第２の表示部に前記被写体画像の正像を表示する付記１８乃至２２のいずれか一に記載のプログラム。
【０１５２】
なお、引用した上述の特許文献の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の示要素（各請求項の各要素、各実施形態ないし実施例の各要素、各図面の各要素等を含む）の多様な組み合わせ、ないし、選択が可能である。すなわち、本明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１５３】
１、１ａ、１００  撮像装置
２  第１の筐体
３  第２の筐体
４  ヒンジ部
５、１０１  撮像部
６、１０２  第１の表示部
７、１０３  第２の表示部
８  第１の入力部
９  第２の入力部
１０  記憶部
２０  制御部
２１、１０４  人判定特徴量抽出部
２２、１０５  被写体距離情報推定部
２３、１０６  表示制御部
２４  焦点距離決定部
２０１〜２０６  操作者
３０１  アイコン
４０１  被写体人物
５１０、５２０、５３０、５４０  被写体画像
５１１、５１２、５２１、５３１、５４１  顔領域
５３２、５４２  基準領域
【図１】
2014220555.tif 000003
【図２】
2014220555.tif 000004
【図３】
2014220555.tif 000005
【図４】
2014220555.tif 000006
【図５】
2014220555.tif 000007
【図６】
2014220555.tif 000008
【図７】
2014220555.tif 000009
【図８】
2014220555.tif 000010
【図９】
2014220555.tif 000011
【図１０】
2014220555.tif 000012
【図１１】
2014220555.tif 000013
【図１２】
2014220555.tif 000014
【図１３】
2014220555.tif 000015
【図１４】
2014220555.tif 000016
【図１５】
2014220555.tif 000017
【図１６】
2014220555.tif 000018
【図１７】
2014220555.tif 000019
【図１８】
2014220555.tif 000020
【図１９】
2014220555.tif 000021
【図２０】
2014220555.tif 000022
【図２１】
2014220555.tif 000023